(57)【要約】【課題】薬局における医療の質を保証する薬歴監査システムを提供する。【解決手段】薬歴監査サーバ１は、薬剤師を一意に識別する薬剤師ＩＤと、患者を一意に識別する患者ＩＤと、患者が服用した薬名を一意に識別する薬名ＩＤと、薬剤師が記した患者の処方に関するコメント内容とを対応付けて、薬剤師データとして保持するデータ保持部３１と、薬名ＩＤと、コメント内容とを出力する出力部２２と、出力部２２によって出力された薬名と、コメント内容とに基づいて、薬剤師に関する評価内容を入力する入力部２１と、薬剤師ＩＤと、入力部２１によって入力された評価内容とを対応付けて編集し、データ保持部３１へ保存するデータ編集部１５とを備える。【選択図】図１
2007034850.tif 000002
【特許請求の範囲】
【請求項１】
薬剤師を一意に識別する薬剤師ＩＤと、患者を一意に識別する患者ＩＤと、前記患者が服用した薬名を一意に識別する薬名ＩＤと、前記薬剤師が記した前記患者の処方に関するコメント内容とを対応付けて、薬剤師データとして保持するデータ保持部と、
前記薬名ＩＤと、前記コメント内容とを出力する出力部と、
該出力部によって出力された前記薬名と、前記コメント内容とに基づいて、前記薬剤師に関する評価内容を入力する入力部と、
前記薬剤師ＩＤと、該入力部によって入力された前記評価内容とを対応付けて編集し、前記データ保持部へ保存するデータ編集部と
を備えることを特徴とする薬歴監査システム。
【請求項２】
前記薬剤師データを保持する、薬局毎に設置された複数の薬局サーバから、任意の前記薬剤師データを抽出するデータ抽出部を更に備えることを特徴とする請求項１に記載の薬歴監査システム。
【請求項３】
薬剤師を一意に識別する薬剤師ＩＤと、患者を一意に識別する患者ＩＤと、前記患者が服用した薬名を一意に識別する薬名ＩＤと、前記薬剤師が記した前記患者の処方に関するコメント内容とを対応付けて、薬剤師データとして保持する、薬局毎に設置された複数の薬局サーバから、任意の前記薬剤師データを抽出するステップと、
前記薬名ＩＤと、前記コメント内容とを出力するステップと、
前記出力された前記薬名と、前記コメント内容とに基づいて、前記薬剤師に関する評価内容を入力するステップと、
前記薬剤師ＩＤと、前記入力された前記評価内容とを対応付けて編集するステップと、
前記評価内容に応じて、前記薬剤師を指導するステップと
を含むことを特徴とする薬歴監査方法。
【発明の詳細な説明】
【技術分野】
【０００１】
本発明は、薬歴監査システム及び薬歴監査方法に関する。
【背景技術】
【０００２】
従来、医師から患者に対して、薬剤の処方箋が発行されると、患者はその処方箋を持って薬局等へ出向いてその処方箋を薬剤師に提出し、薬剤を調剤してもらうことが行われている。
【０００３】
薬局では、処方箋に基づいて、コンピュータに、患者名、診療科名、処方すべき薬剤の名称及びその服用日数・服用量などの処方箋の内容を処方箋データとして入力し、この処方箋データに基づいて、患者毎の調剤指示箋、服用する薬の情報を示す紙（薬情書）、薬袋（薬剤の名称や服用方法などが印刷されている）、薬歴簿などが発行される（例えば、特許文献１参照）。
【０００４】
薬剤師は、調剤指示箋に基づいて、調剤を行うと共に、患者に、薬袋に入れた薬を手渡すときも、患者に対するインフォード・コンセプトの要請などから、個々の患者に対する薬そのものの情報提供や対話などを行い、更に、薬歴簿による個々の患者に対する服薬指導、薬歴管理などをも行う必要がある。
【特許文献１】特開２００２−２５９５６４号公報
【発明の開示】
【発明が解決しようとする課題】
【０００５】
このように、患者に直接接する薬剤師の服薬指導等は、治療において重要なものであり、薬剤師が適切な服薬指導等を行ったか否かは、医療の質を左右することとなる。
【０００６】
そこで、本発明は、上記の課題に鑑み、薬局における医療の質を保証する薬歴監査システム及び薬歴監査方法を提供することを目的とする。
【課題を解決するための手段】
【０００７】
上記目的を達成するため、本発明の第１の特徴は、（ａ）薬剤師を一意に識別する薬剤師ＩＤと、患者を一意に識別する患者ＩＤと、患者が服用した薬名を一意に識別する薬名ＩＤと、薬剤師が記した患者の処方に関するコメント内容とを対応付けて、薬剤師データとして保持するデータ保持部と、（ｂ）薬名ＩＤと、コメント内容とを出力する出力部と、（ｃ）出力部によって出力された薬名と、コメント内容とに基づいて、薬剤師に関する評価内容を入力する入力部と、（ｄ）薬剤師ＩＤと、入力部によって入力された評価内容とを対応付けて編集し、データ保持部へ保存するデータ編集部とを備える薬歴監査システムであることを要旨とする。
【０００８】
第１の特徴に係る薬歴監査システムによると、薬剤師に対する評価を客観的に行うことにより、薬局における医療の質を保証することができる。
【０００９】
又、第１の特徴に係る薬歴監査システムは、薬剤師データを保持する、薬局毎に設置された複数の薬局サーバから、任意の薬剤師データを抽出するデータ抽出部を更に備えてもよい。
【００１０】
この薬歴監査システムによると、薬局及び薬剤師を任意に抽出し、薬剤師の評価を行うことができる。
【００１１】
本発明の第２の特徴は、（ａ）薬剤師を一意に識別する薬剤師ＩＤと、患者を一意に識別する患者ＩＤと、患者が服用した薬名を一意に識別する薬名ＩＤと、薬剤師が記した患者の処方に関するコメント内容とを対応付けて、薬剤師データとして保持する、薬局毎に設置された複数の薬局サーバから、任意の薬剤師データを抽出するステップと、（ｂ）薬名ＩＤと、コメント内容とを出力するステップと、（ｃ）出力された薬名と、コメント内容とに基づいて、薬剤師に関する評価内容を入力するステップと、（ｄ）薬剤師ＩＤと、入力された評価内容とを対応付けて編集するステップと、（ｅ）評価内容に応じて、薬剤師を指導するステップとを含む薬歴監査方法であることを要旨とする。
【００１２】
第２の特徴に係る薬歴監査方法によると、薬剤師に対する評価を客観的に行うことにより、薬局における医療の質を保証することができる。
【発明の効果】
【００１３】
本発明によると、薬局における医療の質を保証する薬歴監査システム及び薬歴監査方法を提供することができる。
【発明を実施するための最良の形態】
【００１４】
次に、図面を参照して、本発明の実施の形態を説明する。以下の図面の記載において、同一又は類似の部分には、同一又は類似の符号を付している。ただし、図面は模式的なものであることに留意すべきである。
【００１５】
（薬歴監査システムの構成）
第１の実施の形態に係る薬歴監査システムは、薬歴監査サーバ１と、薬歴監査サーバ１と通信ネットワーク（インターネット）２を介して接続された複数の薬局サーバ３ａ、３ｂ、３ｃとを備える。尚、「通信ネットワーク」とは、ＬＡＮ、ＷＡＮ、インターネット、イントラネット等の情報ネットワーク（コンピュータネットワーク）を指す。又、「薬歴」とは、薬剤服用歴情報のことである。
【００１６】
薬歴監査サーバ１は、処理制御装置（ＣＰＵ）１０を有し、接続部１１、送信部１２、受信部１３、データ抽出部１４、データ編集部１５をＣＰＵ１０に内蔵する構成とすることができる。これら各部は、パーソナルコンピュータ等の汎用コンピュータにおいて、所定のプログラム言語を利用するための専用プログラムを実行することにより実現することができる。又、ＣＰＵ１０には、入力部２１、出力部２２、データ保持部３１、プログラム保持部３２が接続されている。
【００１７】
データ保持部３１は、薬剤師を一意に識別する薬剤師ＩＤと、患者を一意に識別する患者ＩＤと、患者が服用した薬名を一意に識別する薬名ＩＤと、薬剤師が記した患者の処方に関するコメント内容とを対応付けて、薬剤師データとして保持する。又、データ保持部３１は、ＣＰＵ１０における演算において、計算途中や解析途中のデータ、受信したデータなどを一時的に保存する。尚、データ保持部３１は、ＲＡＭなどの内部記憶装置でもよく、ＨＤなどの外部記憶装置でもよい。
【００１８】
接続部１１は、インターネット２を介して、薬局サーバ３ａ、３ｂ、３ｃとの接続処理を行う。
【００１９】
送信部１２は、インターネット２を介して、薬剤師データを薬局サーバ３ａ、３ｂ、３ｃへ送信する。
【００２０】
受信部１３は、インターネット２を介して、薬剤師データを薬局サーバ３ａ、３ｂ、３ｃから受信する。
【００２１】
出力部２２は、薬名ＩＤと、コメント内容とを出力する。尚、出力部２２は、モニタなどの画面を指し、液晶表示装置（ＬＣＤ）、発光ダイオード（ＬＥＤ）パネル、エレクトロルミネッセンス（ＥＬ）パネル等が使用可能である。
【００２２】
入力部２１は、出力部２２によって出力された薬名と、コメント内容とに基づいて、薬剤師に関する評価内容を入力する。尚、入力部２１は、キーボード、マウス等の機器を指す。入力部２１から入力操作が行われると対応するキー情報がＣＰＵ１０に伝達される。
【００２３】
データ抽出部１４は、薬剤師データを保持する、薬局毎に設置された薬局サーバ３ａ、３ｂ、３ｃから、受信部１３を介して、任意の薬剤師データを抽出する。
【００２４】
データ編集部１５は、薬剤師ＩＤと、入力部２１によって入力された評価内容とを対応付けて編集し、データ保持部３１へ保存する。
【００２５】
プログラム保持部３２は、接続処理、送信処理、受信処理、データ抽出処理、データ編集処理などをＣＰＵ１０に実行させるための制御プログラムを保存する記憶媒体である。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００２６】
薬局サーバ３ａ、３ｂ、３ｃは、薬局毎に設置されたサーバであり、薬局に属する薬剤師の薬剤師データを保持する。尚、図１では、薬歴監査サーバ１と薬局サーバ３ａ、３ｂ、３ｃを別個に図示しているが、薬局サーバ３ａ、３ｂ、３ｃのいずれかが、データ抽出部１４、データ編集部１５等を備え、薬歴監査サーバ１として機能してもよい。
【００２７】
（薬歴監査方法）
次に、本実施形態に係る薬歴監査方法について、図２を用いて説明する。ここでは、管理職にある薬剤師が、自らの管轄外の薬剤師をチェックする場合を例にとり、説明する。
【００２８】
まず、ステップＳ１０１において、薬歴監査サーバ１は、薬剤師を一意に識別する薬剤師ＩＤと、患者を一意に識別する患者ＩＤと、患者が服用した薬名を一意に識別する薬名ＩＤと、薬剤師が記した患者の処方に関するコメント内容とを対応付けて、薬剤師データとして保持する、薬局毎に設置された複数の薬局サーバ３ａ、３ｂ、３ｃから、任意の薬剤師データを抽出する。
【００２９】
次に、ステップＳ１０２において、薬歴監査サーバ１は、薬名ＩＤと、コメント内容とを出力部２２に出力する。図３は、出力された画面の例であり、社員番号：０２３１７、社員名：Ｃ、薬局名：Ｘの薬剤師データを出力している。「処方・指導・コメント内容」欄には、図示を省略しているが、社員Ｃが患者に対して指導した内容が記載されており、例えば、患者から「目薬は長くもつものか？」と聞かれた場合、その質問内容とコメント内容が記載される（“薬効説明。開封すると約一ヶ月で廃棄してください。開封しなければ、記載どおりの期限まで使えます。”など）。
【００３０】
次に、ステップＳ１０３において、薬歴監査サーバ１は、出力された薬名と、コメント内容とに基づいて、薬剤師に関する評価内容を入力する。例えば、図３に示すように、評価点数やランクが入力される。又、評価者からのコメントが追加記入されてもよい。このとき、薬剤師データの一覧は、図４に示すようになる。
【００３１】
次に、ステップＳ１０４において、薬歴監査サーバ１は、薬剤師ＩＤと、入力された評価内容とを対応付けて編集する。
【００３２】
次に、ステップＳ１０５において、評価内容に応じて、薬剤師を指導する。例えば、管理職にある薬剤師が、自らの管轄内の薬剤師に関する薬剤師データを閲覧し、当該薬剤師に指導を行う。
【００３３】
（作用及び効果）
本実施形態に係る薬歴監査システム及び薬歴監査方法によると、薬剤師に対する評価を客観的に行うことにより、薬局における医療の質を保証することができる。
【００３４】
特に、管理職にある薬剤師等が診療内容の監査を行うことにより、期待通りの成果を上げているか判断することができ、医療の水準を保つことができる。
【００３５】
又、複数の薬局サーバ３ａ、３ｂ、３ｃから、任意の薬剤師データを抽出することにより、任意の薬局及び薬剤師の評価を行うことができる。
【００３６】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００３７】
例えば、本実施の形態に係る薬歴監査サーバ１において、図１に示すように、データ保持部３１、プログラム保持部３２を分けて備えると説明したが、一つの保持部で共用しても構わない。又、薬歴監査サーバ１は、接続部１１、送信部１２、受信部１３、データ抽出部１４、データ編集部１５を一つの処理制御装置（ＣＰＵ）１０内にあるとして説明したが、それらが二つあるいはそれ以上の処理制御装置に分かれていても構わない。その際はそれらの処理制御装置間でデータのやりとりが行えるようにバスなどで装置間を接続しているとする。
【００３８】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００３９】
【図１】本発明の実施の形態に係る薬歴監査システムの構成ブロック図である。
【図２】本発明の実施の形態に係る薬歴監査方法を示すフローチャートである。
【図３】本発明の実施の形態に係る薬剤師データの一例である（その１）。
【図４】本発明の実施の形態に係る薬剤師データの一例である（その２）。
【符号の説明】
【００４０】
１…薬歴監査サーバ
２…インターネット
３ａ、３ｂ、３ｃ…薬局サーバ
１０…ＣＰＵ
１１…接続部
１２…送信部
１３…受信部
１４…データ抽出部
１５…データ編集部
２０…データ保持部
２１…入力部
２２…出力部
３１…データ保持部
３２…プログラム保持部
【図１】
2007034850.tif 000003
【図２】
2007034850.tif 000004
【図３】
2007034850.tif 000005
【図４】
2007034850.tif 000006